(57)【要約】【課題】接ぎ木後の苗の生育が容易で、また機械化に結びつくような台木と穂木の接ぎ木法を提供すること。【解決手段】台木苗１の本葉１ａ部分を除去し、一対の子葉１ｂの間の茎１ｃに縦方向に切り込み入れるか又はＶ字状の溝を形成し、該茎１ｃの切り込み部分又はＶ字状の溝に、斜め又はくさび状に茎２ｃを切断した一対の子葉２ｂを有する穂木苗２を挿し込み、クリップ又はテープで接合部分を保持する接ぎ木方法であり、台木苗１の子葉１ｂを二枚とも残すので、台木苗１の子葉１ｂの片葉を切断して穂木苗２と接合する接ぎ木法に比べて台木部分が丈夫であるため、接ぎ木後の養生への労力を大幅に減少でき、また接ぎ木の生育期間の短縮化が図れる。【選択図】        図１
2004159518.tif 000002
【特許請求の範囲】
【請求項１】
台木苗１の本葉１ａ部分を除去し、一対の子葉１ｂの間の茎１ｃに縦方向に切り込み入れるか又はＶ字状の溝を形成し、該茎１ｃの切り込み部分又はＶ字状の溝に、一対の子葉２ｂを残して斜め又はくさび状に茎２ｃを切断した穂木苗２を挿し込み、クリップ又はテープで接合部分を保持することを特徴とする接ぎ木方法。
【請求項２】
穂木苗２の台木苗１への接合方向は、台木苗１と穂木苗２の子葉１ｂ、２ｂの受光を優先する場合には台木苗部分の子葉１ｂの展開方向と穂木苗部分の子葉２ｂの展開方向を直交する方向に接ぎ木し、接合苗のバランスを優先する場合には台木苗部分と穂木苗部分の両方の子葉１ｂ、２ｂの展開方向を同じ方向に接ぎ木することを特徴とする請求項１記載の接ぎ木方法。
【請求項３】
一対のテープ保持具６の一側面の中央部に凹部６ａを設け、該凹部６ａを設けた保持具６の側面上に接着剤を塗布したテープ５を保持させ、該一対のテープ保持具６の接着剤塗布面を台木苗１と穂木苗２の接合部に貼付けることを特徴とする請求項１又は２記載の接ぎ木方法。
【請求項４】
各把持部７ａ部分を半楕円状にし、該半楕円状部分の対向する側面に抜け防止用の突起７ｃを対称的に設けたスプリング式クリップ７を用いて台木苗１と穂木苗２の接合部を把持することを特徴とする請求項１又は２記載の接ぎ木方法。
【発明の詳細な説明】
【０００１】
【発明の属する技術分野】
本発明は台木苗と穂木苗を接ぎ木する方法に関する。
【０００２】
【従来の技術】
本出願人は、接ぎ木苗製造用のロボットとして多数の接ぎ木ロボットの出願をしている（たとえば、特開２００２−２０９４３９号公報）。
【０００３】
【特許文献１】
特開２００２−２０９４３９号公報
【０００４】
【発明が解決しようとする課題】
前記本発明者らの開発した接ぎ木ロボットにおいては、台木苗と穂木苗を接合するに当たり、台木苗の子葉を二枚あるうち一枚削除して片葉にするため、当該片葉の子葉を有する台木苗は、子葉が二枚両方ともある台木苗に比べて台木部分の勢いが弱く、穂木部分との接ぎ木後の活着率が必ずしも高くなく、改善の余地があった。活着後の接ぎ木苗の生育の程度も、台木部分は子葉の片葉切断によるストレスが大きく、二枚両方の子葉を有する台木部分を有する接ぎ木に比べて１週間程度の生育遅れが出ている。
【０００５】
また、接ぎ木ロボットが台木苗の子葉を一枚切断する切断作業を行う場合は、苗の大小により、片葉と成長点の削除が適確に行われるよう切断具の位置調整が必要だった。
【０００６】
そこで、本発明の課題は、接ぎ木後の苗の生育が容易で、また機械化し易い台木と穂木の接ぎ木法を提供することである。
【０００７】
【課題を解決するための手段】
本発明の上記課題は次の構成によって達成される。
請求項１記載の発明は、台木苗１の本葉部分１ａを除去し、一対の子葉１ｂの間の茎１ｃに縦方向に切り込み入れるか又はＶ字状の溝を形成し、該茎１ｃの切り込み部分又はＶ字状の溝に、一対の子葉２ｂを残して斜め又はくさび状に茎２ｃを切断した穂木苗２を挿し込み、クリップ又はテープで接合部分を保持することからなる接ぎ木方法である。
【０００８】
請求項１記載の発明によれば、台木苗１の子葉１ｂを二枚とも残す方式により接ぎ木をすると、台木苗１の子葉１ｂの片葉を切断して穂木苗２と接合する接ぎ木法に比べて子葉１ｂが二枚残っているので、接ぎ木後の育苗管理が子葉を一枚残した場合に比べて容易である。
【０００９】
請求項２記載の発明は、穂木苗２の台木苗１への接合方向は、台木苗１と穂木苗２の子葉１ｂ、２ｂの受光を優先する場合には台木苗部分の子葉１ｂの展開方向と穂木苗部分の子葉２ｂの展開方向を直交する方向に接ぎ木し、接合苗のバランスを優先する場合には台木苗部分と穂木苗部分の両方の子葉１ｂ、２ｂの展開方向を同じ方向に接ぎ木する請求項１記載の接ぎ木方法である。
【００１０】
請求項２記載の発明によれば、請求項１記載の発明の作用に加えて、接合苗の目的（接合苗の受光かバランスか）に応じて子葉１ｂ、２ｂの方向を変えることができる。
【００１１】
請求項３記載の発明は、一対のテープ保持具６の一側面の中央部に凹部６ａを設け、該凹部６ａを設けた保持具６の側面上に接着剤を塗布したテープ５を保持させ、該一対のテープ保持具６の接着剤塗布面を台木苗１と穂木苗２の接合部に貼付ける請求項１又は２記載の接ぎ木方法である。
【００１２】
請求項３記載の発明によれば、、請求項１又は２記載の発明の作用に加えて、安価なテープ５で苗接合部の表面を覆うことにより、台木苗１と穂木苗２の切り口の乾燥防止ができるだけでなく、また様々な大きさの苗に対応でき、接ぎ木の活着率がクリップによる接合部の保持に比べて向上する。
【００１３】
請求項４記載の発明は、各把持部７ａ部分を半楕円状にし、該半楕円状部分の対向する側面に抜け防止用の突起７ｃを対称的に設けたスプリング式クリップ７を用いて苗の接合部を把持する請求項１又は２記載の接ぎ木方法。
【００１４】
請求項４記載の発明によれば、請求項１又は２記載の発明の作用に加えて、各把持部７ａの半楕円状部分が接合苗の把持を確実に行い、また突起７ｃを介してスプリング７ｂの付勢力Ｆにより接合苗の側面をその中央部に向けて押さえ込むので、接合苗の抜け防止ができ、また接合苗を覆う形で把持できるので苗の接合面の乾きが少ない。
【００１５】
【発明の効果】
請求項１記載の発明によれば、接ぎ木後の養生への労力を大幅に減少でき、また接ぎ木の生育期間の短縮化が図れ、バラ、茶等の花木の接ぎ木にも上記接ぎ木法が適用できる。
【００１６】
請求項２記載の発明によれば、請求項１記載の発明の効果に加えて、活着率が良くなり、生育期間の短縮化が図れる。
【００１７】
請求項３記載の発明によれば、請求項１又は２記載の発明の効果に加えて、台木苗１と穂木苗２の切り口の乾燥防止などにより接ぎ木の活着率がさらに良くなり、生育期間の短縮化が図れる。
【００１８】
請求項４記載の発明によれば、請求項１又は２記載の発明の効果に加えて、接合苗の確実な把持と接合苗の抜け防止効果などにより接ぎ木の活着率がさらに良くなり、生育期間の短縮化が図れる。
【００１９】
【発明の実施の形態】
本発明の実施の形態について図面と共に説明する。
本実施例では台木苗と穂木苗とを接ぎ木するにあたり、図１（ａ）に示す台木苗１の正面よりカッタ３で本葉１ａの部分（本葉及び生長点）を除去し（図１（ｂ））、一対の子葉１ｂを左右に開きながら、一対の子葉１ｂの間の茎１ｃに縦方向に切り込みを入れ（図１（ｃ））、一対の子葉２ｂを残して斜め又はくさび状に茎２ｃを切断した穂木苗２を前記台木苗１の茎１ｃの切り込み部分に挿し込み（図１（ｄ））、クリップ又はテープ（図示せず）で接合部分を保持する（図１（ｅ））ことからなる接ぎ木方法を採用する。
【００２０】
台木苗１の茎１ｃの切断は茎１ｃに直交する方向から前記生長点を垂直切断する場合及びＶ字切断する場合がある。
【００２１】
穂木苗２は斜め（図２（ａ））又はくさび状（図２（ｂ））に茎２ｃを切断するが、いずれの切断態様の場合にも穂木苗２の台木苗１への接合方向は穂木苗２の子葉２ｂの受光を優先する場合には台木苗１の子葉１ｂの展開方向と穂木苗２の子葉２ｂの展開方向が直交する方向（図２（ｃ））に接ぎ木し、接合苗のバランスを優先する場合には台木苗１と穂木苗２の両方の子葉１ｂ、２ｂの展開方向を同じ方向（図２（ｄ））に接ぎ木する。
【００２２】
野菜（ウリ科）などを接ぎ木する場合、台木苗１の子葉１ｂの片葉を切断して穂木苗２と接合する接ぎ木方式に代えて、上記台木苗１の子葉１ｂを二枚とも残す方式により接ぎ木をすると、子葉１ｂが二枚残っているため接ぎ木後の育苗管理が容易で、接ぎ木後の養生への労力を大幅に減少でき、また接ぎ木の生育期間の短縮化が図れる。また、バラ、茶等の花木の接ぎ木にも上記接ぎ木法が適用できる。
【００２３】
また、台木苗１と穂木苗２との接合部の回りをクリップ、接着剤、ピン等で仮止めしておくことが行われているが、図３（ａ）と図３（ｂ）の平面図に示すように接着剤を塗布したテープ５を一対のテープ保持具６に保持させて台木苗１と穂木苗２の接合部に貼付けることで接合部の仮止めを行うことができる。
【００２４】
一対のテープ保持具６の一側面の中央部に凹部６ａを設け、該凹部６ａを設けた保持具６の側面上に接着剤を塗布したテープ５をそれぞれ保持させておく。そして台木苗１と穂木苗２の接合部の両側面から前記テープ保持具６を押圧することでテープ５が該苗の接合部の側面に接着される。その後、テープ保持具６を取り外し、次の仮止めのためのテープ５をテープ保持具６の側面に保持させる。    なお、図３（ａ）と図３（ｂ）には、台木苗１と穂木苗２の接合部の断面を示す。
【００２５】
こうして、安価なテープ５で苗接合部の表面を覆うことにより、台木苗１と穂木苗２の切り口の乾燥防止ができるだけでなく、また様々な大きさの苗に対応でき、接ぎ木の活着率がクリップによる接合部の保持に比べて向上する。
【００２６】
また、苗接合部をクリップ止めする場合には、図４に示す一対の把持部７ａを備えたスプリング式クリップ７を用いることが望ましい。図４（ａ）にはクリップ７の平面図、図４（ｂ）には図４（ａ）の矢印Ｓ方向から見た図、図４（ｃ）には図４（ａ）の要部拡大図を示す。
【００２７】
スプリング７ｂを有するクリップ７を用い、クリップ把持部７ａを半楕円状にし、該半楕円状部分の対向する側面に抜け防止用の突起７ｃを左右対称となるようにそれぞれの把持部７ａに２箇所設けておく。また、半楕円状部分は、長径側の長さａを短径側の長さｂの約２倍より大きくする（ａ＞２ｂ）ことで、接合苗の把持が確実に行え、また突起７ｃを介してスプリング７ｂの付勢力Ｆにより接合苗の側面をその中央部に向けて押さえ込むので（図４（ｄ））、接合苗抜け防止ができ、また接合苗を覆う形で把持できるので苗の接合面の乾きが少ない。
【００２８】
これに対して図８（ａ）に示す従来のクリップ１７では台木苗１と穂木苗２の接合部とクリップ１７の把持部１７ａの大きさとの違いからクリップ１７から接合苗が矢印方向に抜け出ることがあり、またクリップ１７の把持部１７ａの接合苗への当接面が平面であるので、クリップ把持部の中央で接合苗を把持していない場合には図８（ｂ）、図８（ｃ）に示すように接合苗が矢印方向に把持部１７ａから外れることがある。
【００２９】
従来の接ぎ木ロボットでの台木苗１と穂木苗２の接合においても、各苗の切断、接合のための位置決めには子葉展開基部１ｄ（図５（ａ））を利用していたが、台木苗１の子葉１ｂの片葉のみを残す切断には図示しないロータリシリンダによる回転運動するアームの先端に設けた刃を用いて行っていたため、アームの回転半径の調整でしか台木苗１の子葉１ｂの切断位置の調整ができなかった。
【００３０】
そのため、台木苗１の茎１ｃの径の大小への対応はできても台木苗１のステージ（苗齢）への対応ができなかった。苗齢が高くなると台木苗１の中央に空洞１ｅができるので、台木苗１の茎１ｃと子葉１ｂの中間にある子葉展開基部１ｄにおいて苗の位置決めを行い、その位置を基準に縦方向又は横方向に台木苗１の空洞１ｅを避けるように切断位置の微調整が可能な構成（図５（ｂ））にすると、接合苗の活着率が向上する。
【００３１】
また、接ぎ木ロボットの台木苗１の本葉１ａを切断した後に穂木苗２を挿入する切り込み部を形成する切断装置として、図５（ｃ）に示すように刃物（カミソリ、カッター等）１３を先端に設けたアームを円運動させる回転シリンダ（図示せず）と台木苗１の子葉展開基部１ｄにおいて台木苗１の位置決めを行いながら茎１ｃを把持する台木苗１の把持装置９を備え、さらに本葉１ａ切断後の台木苗１の子葉展開基部１ｄに向けて上方から降りて来る刃物を止めるストッパ８を設ける。ストッパ８はショックアブソーバを備えたものが望ましい。
【００３２】
こうして台木苗１の子葉展開基部１ｄの位置を基準に縦方向又は横方向に苗の空洞を避けるようにストッパ８の切断位置の微調整が可能なので（図５（ｄ）参照）、接合苗の活着率が高まる。
【００３３】
従来は台木苗１の子葉１ｂの片葉を完全に切断した後、接合を行っていたが、切断刃を先端に備えた図示しないアームの円運動によって台木苗１の子葉展開基部１ｄを切り込むことにより切断面積を大きくとれ、接合苗の活着率の向上を図ることができる。
【００３４】
ウリ科の接ぎ木の場合には、台木苗が軟らかく、台木苗と穂木苗の接合部をクリップで把持すれば台木苗の茎をつぶしながら保持することができる。しかし、ナス科の接ぎ木の場合には、ナス科の台木苗１４の茎とナス科の穂木苗１５の茎は共に硬く、クリップの挟持力ではつぶすことができない。また、台木苗１４と穂木苗１５の茎に軸径差がある場合が多く、小さい軸径の苗がクリップ１６から抜けてしまうことがあった。
【００３５】
そこで、図６（図６（ｂ）の平面図の矢印Ｓ１方向から見た図を図６（ａ）に示し、図６（ｂ）の平面図の矢印Ｓ２方向から見た図を図６（ｃ）に示す。）に示すように、接ぎ木苗の接合部を把持する把持部１６ａを開閉するヒンジ部１６ｂと、把持部１６ａに把持力を供給する弾発部１６ｃとを設けた一体成形クリップ１６において、ヒンジ部１６ｂの上下にテーパー状の切込み１６ｄを設ける。このようにすると、台木苗１４と穂木苗１５の茎の軸径に差があっても、図６（ｄ）に示すように左右の把持部１６ａが下広がりの状態で把持するようになり、台木苗１４と穂木苗１５を接合部において適確に把持することができる。
【００３６】
また、図７（ａ）、図７（ｂ）には接ぎ木ロボットの台木苗１又は穂木苗２の接合前の茎１ｃ、２ｃなどの切断装置の一部側面図を示す。
【００３７】
接木ロボットにおいて、苗の切断を行う刃１０の初期位置（切断前、切断後における待機場所）に紫外線ランプ１１を配置しておき、接ぎ木時間は１本につき最高４．５秒間の待機時間と３．０秒間の照射時間とする。紫外線ランプ１１の波長として殺菌力の高い短波長の紫外線を用い、また紫外線ランプ１１の周りはカバー１２で覆い、目や皮膚等、人体への影響が無いようにする。
【００３８】
従来の接ぎ木ロボットでは、刃１０の洗浄用として水を入れたポットを設け、シリンダーで刃１０を浸積させていたが、この方法では、刃１０へ付着した植物の樹液を洗い流すことができるだけであり、殺菌効果はなかった。
【００３９】
以前よりユーザーからは病気の苗を１本切断すると、その後切断した苗すべてが感染する問題が提起されていたが、上記紫外線消毒法で接ぎ木作業の間に３秒間紫外線照射を行うことで、刃１０の滅菌が行える。
【図面の簡単な説明】
【図１】本発明の実施の形態の台木苗と穂木苗とを接ぎ木手順を説明する図。
【図２】本発明の実施の形態の台木苗と穂木苗とを接ぎ木手順を説明する図。
【図３】本発明の実施の形態の台木苗と穂木苗とを接合時の平面図。
【図４】本発明の実施の形態の台木苗と穂木苗とを接合用のクリップとその接合苗のクリップ止めの様子の説明図。
【図５】本発明の実施の形態の台木苗の穂木苗との接合目の切り込みを入れる様子を示す斜視図。
【図６】本発明の実施の形態のクリップの形状と機能を説明する図。
【図７】本発明の実施の形態の接ぎ木ロボットの切断装置の刃の洗浄装置部分を示す側面図（図７（ａ））と正面図（図７（ｂ））。
【図８】従来の台木苗と穂木苗とを接合用のクリップとその接合苗のクリップ止めの様子の説明図。
【符号の説明】
１  台木苗                      １ａ  本葉
１ｂ  子葉                      １ｃ  茎
１ｄ  台木苗の子葉展開基部      １ｅ  空洞
２  穂木苗                      ２ｂ  子葉
２ｃ  茎                        ３  カッタ
５  テープ                      ６  テープ保持具
６ａ  テープ保持具の凹部        ７  クリップ
７ａ  クリップ把持部            ７ｂ  スプリング
７ｃ  突起                      ８  ストッパ
９  把持装置                    １０  切断刃
１１  紫外線ランプ              １２  カバー
１３  切断刃                    １４  ナス科の台木苗
１５  ナス科の穂木苗            １６  クリップ
１６ａ  クリップの把持部        １６ｂ  クリップのヒンジ部
１６ｃ  クリップの弾発部        １６ｄ  切込み
【図１】
2004159518.tif 000003
【図２】
2004159518.tif 000004
【図３】
2004159518.tif 000005
【図４】
2004159518.tif 000006
【図５】
2004159518.tif 000007
【図６】
2004159518.tif 000008
【図７】
2004159518.tif 000009
【図８】
2004159518.tif 000010